(57)【要約】コネクタ５１０の基体５１２は、第２筐体１０２に移動可能なように取り付けられる。フレキシブルプリント基板５３０は、本体部から突出し、配線パターンに含まれるグラウンドとともに延伸する延伸部５３３を有する。延伸部５３３は、延伸途中において伸縮可能に屈曲し、その先端側に、第２筐体１０２に固定される取付部５３２を有する。取付部５３２には、延伸されたグラウンドに電気的に接続されたグラウンド端子が設けられている。取付部５３２が第２筐体１０２に固定された状態において、グラウンド端子が第２筐体１０２に電気的に接続される。
2019146589.tif 000002
【特許請求の範囲】
【請求項１】
配線パターンが形成された本体部を有するフレキシブルプリント基板と、
前記配線パターンを構成する配線に接続される接続端子と、前記接続端子が固定され、絶縁性を有する基体と、を有するコネクタと、
前記コネクタ及び前記フレキシブルプリント基板を収容する筐体と、を備え、
前記基体は、前記筐体に移動可能なように取り付けられ、
前記フレキシブルプリント基板は、前記本体部から突出し、前記配線パターンに含まれるグラウンドとともに延伸する延伸部を有し、
前記延伸部は、延伸途中において伸縮可能に屈曲し、その先端側に、前記筐体に固定される取付部を有し、
前記取付部には、延伸された前記グラウンドに接続されたグラウンド端子が設けられ、
前記取付部が前記筐体に固定された状態において、前記グラウンド端子が前記筐体に電気的に接続される、
電子機器。
【請求項２】
前記延伸部は、延伸途中においてＬ字状に屈曲する、
請求項１に記載の電子機器。
【請求項３】
前記本体部は、帯状に延びる形状を有し、延び方向の途中に折り曲げ部を有する、
請求項１または２に記載の電子機器。
【請求項４】
前記基体は、第１のネジが挿通される第１のネジ挿通孔を有し、
前記筐体は、前記第１のネジが前記第１のネジ挿通孔を通して螺合される第１のネジ孔を有し、
前記第１のネジ挿通孔の直径は、前記第１のネジのネジ部の直径よりも大きい、
請求項１から３のいずれか１項に記載の電子機器。
【請求項５】
前記取付部は、第２のネジが挿通される第２のネジ挿通孔を有し、
前記筐体は、前記第２のネジが前記第２のネジ挿通孔を通して螺合される第２のネジ孔をさらに有し、
前記取付部は、前記第２のネジが前記第２のネジ挿通孔を通して前記第２のネジ孔に螺合されることで、前記筐体に固定される、
請求項１から４のいずれか１項に記載の電子機器。
【請求項６】
前記接続端子の基部と前記フレキシブルプリント基板の前記本体部の配線とはハンダを用いて接続される、
請求項１から５のいずれか１項に記載の電子機器。
【請求項７】
当該電子機器は、バッテリユニットを着脱可能に収容する収容空間を有するコンピュータであり、
前記コネクタは、前記バッテリユニットの有するコネクタに接続される、
請求項１から６のいずれか１項に記載の電子機器。
【発明の詳細な説明】
【技術分野】
【０００１】
本開示は、コネクタを有する電子機器に関する。
【背景技術】
【０００２】
特許文献１は、電子情報機器において、接続用コネクタを有する基板を移動可能に構成したことを開示している。
【先行技術文献】
【特許文献】
【０００３】
【特許文献１】特開平５−８２９８５号公報
【発明の概要】
【発明が解決しようとする課題】
【０００４】
本開示は、電子機器に設けられるコネクタを筐体に対して移動可能としつつ、コネクタを適切にグラウンド接続することを可能とした電子機器を提供する。
【課題を解決するための手段】
【０００５】
本開示の電子機器は、
配線パターンが形成された本体部を有するフレキシブルプリント基板と、
配線パターンを構成する配線に接続される接続端子と、接続端子が固定され、絶縁性を有する基体と、を有するコネクタと、
コネクタ及びフレキシブルプリント基板を収容する筐体と、を備える。
基体は、筐体に移動可能なように取り付けられる。
フレキシブルプリント基板は、本体部から突出し、配線パターンに含まれるグラウンドとともに延伸する延伸部を有する。
延伸部は、延伸途中において伸縮可能に屈曲し、その先端側に、筐体に固定される取付部を有する。
取付部には、延伸されたグラウンドに接続されたグラウンド端子が設けられる。
取付部が筐体に固定された状態において、グラウンド端子が筐体に電気的に接続される。
【発明の効果】
【０００６】
本開示によると、電子機器に設けられるコネクタを筐体に対して移動可能としつつ、コネクタを適切にグラウンド接続することができる。
【図面の簡単な説明】
【０００７】
【図１】実施の形態１におけるコンピュータの斜視図である。
【図２】コンピュータの第２筐体の下面図である。
【図３】バッテリユニットを取り外した状態で示したコンピュータの第２筐体の下面図である。
【図４】バッテリユニットを取り外した状態で示したコンピュータの後面図（（ａ）図）、及びバッテリユニットの前面図（（ｂ）図）である。
【図５】バッテリユニットの斜視図である。
【図６Ａ】フレキシブルプリント基板ユニットの斜視図である。
【図６Ｂ】フレキシブルプリント基板ユニットの斜視図である。
【図７】フレキシブルプリント基板ユニットの固定面側を示した図である。
【図８Ａ】フレキシブルプリント基板ユニットのコネクタの接続端面の端面図である。
【図８Ｂ】フレキシブルプリント基板ユニットのコネクタ部分の固定面側を拡大して示した図である。
【図９】第２筐体を、下側筐体を取り外した状態で図３の矢印Ｚ３方向から見た斜視図である。
【図１０】図９の矢印Ｚ９１で示す部分を分解した状態で拡大して示した斜視図である。
【図１１】図９の矢印Ｚ９２で示す部分を拡大して示した斜視図である。
【図１２】第２筐体におけるコネクタ配置部分を、縦壁部を破断してコネクタの接続端面側から見た状態で示した図である。
【図１３】バッテリユニットを第２筐体に装着した状態で示した、図１１相当の斜視図である。
【図１４Ａ】実施の形態２におけるフレキシブルプリント基板ユニットのコネクタの接続端面の端面図である。
【図１４Ｂ】実施の形態２におけるフレキシブルプリント基板ユニットのコネクタ部分の固定面側を拡大して示した図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者は、当業者が本開示を十分に理解するために添付図面および以下の説明を提供するのであって、これらによって特許請求の範囲に記載の主題を限定することを意図するものではない。
【００１０】
（実施の形態１）
以下、図面を参照して実施の形態１を説明する。
【００１１】
［１−１．構成等］
図１は、実施の形態１におけるコンピュータの斜視図である。
【００１２】
コンピュータ１００は、本開示における電子機器の一例であり、第１筐体１０１と、第２筐体１０２とを備える。コンピュータ１００は、第１筐体１０１と第２筐体１０２とがヒンジ１０３を介して相対回転可能に構成されたノートブック型のコンピュータである。
【００１３】
第１筐体１０１には、表示部２４０が備えられている。
【００１４】
第２筐体１０２には、キーボード２３１、タッチパッド２３２、操作ボタン２３３、ＣＰＵ４１１等が設けられている。
【００１５】
表示部２４０は、入力された画像信号に基づいて画像や映像を表示する。表示部２４０は、例えば液晶ディスプレイにより構成される。
【００１６】
キーボード２３１は、複数のキーを備え、ユーザにより押下されたキーに対応する信号を出力する。
【００１７】
タッチパッド２３２は、ユーザによりタッチされた位置に応じた信号を出力するポインティングデバイスである。
【００１８】
操作ボタン２３３は、押下式のボタンスイッチであり、ユーザにより押下されたときに押下されたことを示す信号を出力する。操作ボタン２３３は、例えば決定ボタンとして利用される。
【００１９】
ＣＰＵ４１１は、コンピュータ１００全体の動作を制御する。ＣＰＵ４１１は、記憶部に格納されているＯＳや種々のアプリケーションプログラム、記憶部に記憶されているデータ、種々の入力デバイスから入力された情報に基づいて演算処理を行い、後述する種々の機能を実現する。制御部２１０は、例えばＣＰＵ、ＭＰＵ、ＦＰＧＡ等で構成される。
【００２０】
図２は、コンピュータ１００の第２筐体１０２の下面図である。図３は、バッテリユニットを取り外した状態で示したコンピュータ１００の第２筐体１０２の下面図である。
【００２１】
第２筐体１０２の下面の一端側には、図２、図３に示すように、第２筐体１０２に対して着脱可能なバッテリユニット４６０が装着されている。バッテリユニット４６０は、操作ノブ４６２を操作することで第２筐体１０２から取り外すことができる。
【００２２】
図４は、バッテリユニット４６０を取り外した状態で示したコンピュータ１００の後面図（（ａ）図）、及びバッテリユニットの前面図（（ｂ）図）である。図５は、バッテリユニット４６０の斜視図である。
【００２３】
図３、図４、図５に示すように、バッテリユニット４６０の一側部には、コネクタ４６１が設けられている。コネクタ４６１は、バッテリユニット４６０に内蔵された回路基板にハンダにより電気的に接続及び固定されている。
【００２４】
図１に示すように、第２筐体１０２は、その上面側を構成する上側筐体１０２Ａと、その下面側を構成する下側筐体１０２Ｂとを有する。上側筐体１０２Ａ及び下側筐体１０２Ｂのうち少なくとも上側筐体１０２Ａは、導電性を有する金属やマグネシウム合金などの合金などを用いて形成されている。
【００２５】
図９は、第２筐体１０２を、下側筐体１０２Ｂを取り外した状態で図３の矢印Ｚ３方向から見た斜視図である。
【００２６】
図３、図４、図９に示すように、第２筐体１０２には、内部の空間をバッテリ収容空間ＳＰ１と主空間ＳＰ２とに仕切る縦壁部１０２ｃが設けられている。縦壁部１０２ｃには、バッテリユニット４６０のコネクタ４６１と接続されるコネクタ５１０が設けられている。コネクタ５１０は、縦壁部１０２ｃに形成されたコネクタ配置用切欠１０２ｄを介してバッテリ収容空間ＳＰ１に露出している。
【００２７】
図３に示すように、第２筐体１０２の内部には、ＣＰＵ４１１などの電子部品が実装される回路基板４１０が配置されている。また、第２筐体１０２の内部には、図３、図９に示すように、回路基板４１０とコネクタ５１０とを接続するフレキシブルプリント基板５３０（ＦＰＣ）が配置されている。
【００２８】
次に、フレキシブルプリント基板ユニットの構造について説明する。図６Ａは、フレキシブルプリント基板ユニットの斜視図である。図６Ｂは、フレキシブルプリント基板ユニットの斜視図である。図７は、フレキシブルプリント基板ユニットの固定面側を示した図である。
【００２９】
図６Ａ〜図７に示すように、コネクタ５１０とフレキシブルプリント基板５３０とは、１つのフレキシブルプリント基板ユニット５００として構成されている。フレキシブルプリント基板５３０は、帯状かつＬ字状に延びる形状を有する。フレキシブルプリント基板５３０は、ポリイミドなどの樹脂からなるベースフィルム層と、ベースフィルムの一方の面に金属箔によりベタ塗り状に形成されたグラウンド層と、ベースフィルムの他方の面に金属により形成された配線パターン層とを有する。グラウンド層及び配線パターン層上には、それぞれ非導電性シート等からなる絶縁カバー層が形成されている。なお、本開示におけるフレキシブルプリント基板はこの構成に限定されるものではない。フレキシブルプリント基板５３０の各層を構成する各素材は、曲げ可能な可撓性を有している。そのため、フレキシブルプリント基板５３０は、柔軟に曲げ可能な可撓性を有している。
【００３０】
フレキシブルプリント基板５３０において、フレキシブルプリント基板５３０の延び方向でコネクタ５１０が接続された端部と反対側の端部には、回路基板４１０に設けられたコネクタ（図示せず）に電気的に接続される端子部５２０が設けられている。
【００３１】
フレキシブルプリント基板５３０の延び方向の中間部には、上側筐体１０２Ａの係止突起１０２ｘに嵌められる係止孔５３５ａを有する係止部５３５が設けられている。
【００３２】
フレキシブルプリント基板５３０の本体部５３０ｍは、帯状に延びる形状を有し、延び方向の途中に折り曲げ部５３０ｒを有する。
【００３３】
図８Ａは、フレキシブルプリント基板ユニット５００のコネクタ５１０の接続端面の端面図である。図８Ｂは、フレキシブルプリント基板ユニット５００のコネクタ５１０部分の固定面側を拡大して示した図である。
【００３４】
フレキシブルプリント基板ユニット５００のコネクタ５１０の基体５１２の接続端面には複数の接続端子５１１が配列されている。また、コネクタ５１０の基体５１２の接続端面には、バッテリユニット４６０のコネクタ４６１への差し込みの際の位置決めを行うための位置決め突起５１５が設けられている。
【００３５】
コネクタ５１０の基体５１２は、フレキシブルプリント基板５３０に接着剤などを利用して固着されている。また、コネクタ５１０の各接続端子５１１の基部５１１ｔは、フレキシブルプリント基板５３０の本体部５３０ｍに形成された配線パターンを構成する配線５３０ａにハンダを用いて接続されている。配線５３０ａには、電力供給ラインだけでなく、バッテリユニット４６０の充電制御を行うための制御信号ライン、グラウンドライン等が含まれている。グラウンドラインは、グラウンド層にスルーホールビアなどを介して接続される。
【００３６】
コネクタ５１０の基体５１２のコネクタ幅方向両端の取付部５１２ｂ、及び基体５１２に重なっているフレキシブルプリント基板５３０の端部には、これらを貫通させて、第１のネジ５５１が挿通される第１のネジ挿通孔５５０ａが設けられている。
【００３７】
フレキシブルプリント基板５３０の接続端側には、コネクタ幅方向に突出させて突出部５３１が設けられている。突出部５３１には、ガイド孔５３１ａが設けられている。
【００３８】
また、フレキシブルプリント基板５３０は、本体部５３０ｍからコネクタ幅方向に突出して延伸する延伸部５３３が設けられている。延伸部５３３の先端には、第２筐体１０２に固定される取付部５３２が設けられている。取付部５３２には、第２のネジ５５２が挿通される第２のネジ挿通孔５３２ａが設けられている。延伸部５３３は、本体部５３０ｍに連続して形成され、本体部５３０ｍと同じ複数の層を有している。そのため、グラウンド層は取付部５３２まで延伸している。
【００３９】
延伸部５３３は、本体部５３０ｍの側部からフレキシブルプリント基板５３０の厚さ方向に延伸し、延伸途中でＬ字状に屈曲し、本体部５３０ｍに平行に延びる。また、延伸部５３３は、本体部５３０ｍに平行に延びる部分において、第２のネジ挿通孔５３２ａの軸方向に見てＬ字状に屈曲する。延伸部５３３は、本体部５３０ｍ同様に可撓性を有しているので、Ｌ字状の屈曲が展開、圧縮することで伸縮可能である。特に、延伸部５３３は、２つのＬ字状の屈曲を有することで、より大きな伸縮量で伸縮できる。
【００４０】
取付部５３２の固定面（取付部５３２が下側筐体の後述する第２のボス１０２ｈに固定された状態において、第２のボス１０２ｈの頂面に接触する面）には、グラウンド端子５３２ｂが設けられている（図７参照）。グラウンド端子５３２ｂは、例えば金メッキなどにより形成されている。グラウンド端子５３２ｂは、取付部５３２まで延伸されたグラウンド層にスルーホールビアなどを介して電気的に接続されている。
【００４１】
次に、フレキシブルプリント基板ユニット５００のコネクタ５１０の第２筐体１０２への取付構造について説明する。図１０は、図９の矢印Ｚ９１で示す部分を分解した状態で拡大して示した斜視図である。図１１は、図９の矢印Ｚ９２で示す部分を拡大して示した斜視図である。図１２は、第２筐体１０２に装着された状態のフレキシブルプリント基板ユニット５００を、縦壁部を破断して、コネクタ５１０の接続端面側から見た状態で示した図である。
【００４２】
図１０、図１１、図１２に示すように、上側筐体１０２Ａには、縦壁部１０２ｃの主空間ＳＰ２側のコネクタ配置用切欠１０２ｄの近傍において、一対の第１のボス１０２ｉが突出形成されている。各第１のボス１０２ｉは、第１のネジ５５１がコネクタ５１０の第１のネジ挿通孔５５０ａを通して螺合される第１のネジ孔１０２ｆを有する。また、これらの第１のボス１０２ｉのコネクタ幅方向外側には、第２のボス１０２ｈがそれぞれ突出形成されている。第２のボス１０２ｈは、第２のネジ５５２がフレキシブルプリント基板５３０の取付部５３２の第２のネジ挿通孔５３２ａを通して螺合される第２のネジ孔１０２ｊを有する。第１のボス１０２ｉの高さは、第２のボス１０２ｈの高さよりも高く設定されている。
【００４３】
また、上側筐体１０２Ａには、第１のボス１０２ｉと第２のボス１０２ｈとの間において、ガイドピン１０２ｐが突出形成されている。ガイドピン１０２ｐは、フレキシブルプリント基板５３０の突出部５３１のガイド孔５３１ａに挿通される。ガイド孔５３１ａは、コネクタ幅方向においてガイドピン１０２ｐの直径よりも十分大きい長さを有し、コネクタ奥行き方向においてガイドピン１０２ｐの直径とほぼ同じ長さを有するように形成された長孔である。
【００４４】
第２のボス１０２ｈの頂面には、フレキシブルプリント基板５３０の取付部５３２が第２のボス１０２ｈの頂面と第２のネジ５５２の頭部の座面とで挟み込まれた状態で固定される。固定状態において、取付部５３２のグラウンド端子５３２ｂが、第２のボス１０２ｈの頂面に圧接されて密着する。
【００４５】
第１のネジ５５１は、軸方向において頭部５５１ｃとネジ部５５１ｂとの間に、ネジ部５５１ｂの直径よりも大きい大径部５５１ａを有する段付きネジである。第１のネジ挿通孔５５０ａは、第１のネジ５５１のネジ部５５１ｂの直径及び大径部５５１ａの直径よりも大きい直径を有している。第１のネジ５５１は、第１のネジ挿通孔５５０ａを通して第１のネジ孔１０２ｆに螺合された状態で、大径部５５１ａのネジ部５５１ｂ側の端面が第１のボス１０２ｉの頂面に当接する。大径部５５１ａの軸方向長さは、コネクタ５１０の基体５１２の取付部５１２ｂとフレキシブルプリント基板５３０の本体部５３０ｍとを重ねた厚さよりも大きく設定されている。そのため、第１のネジ５５１の軸方向に微小な隙間Ｐが存在しており、第１のネジ５５１は、コネクタ５１０を第１のボス１０２ｉの頂面に押し付けているわけではない。また、上側筐体１０２Ａに固定されるフレキシブルプリント基板５３０の取付部５３２は、屈曲を有する延伸部５３３を介して本体部５３０ｍに接続されている。さらに、フレキシブルプリント基板５３０の本体部５３０ｍは可撓性を有する。これらの構造により、コネクタ５１０は、第１のネジ５５１が第１のネジ挿通孔５５０ａを通して第１のネジ孔１０２ｆに螺合された状態で、上側筐体１０２Ａ（第２筐体１０２）に対して筐体幅方向や筐体厚み方向（本実施の形態ではコネクタ厚み方向と同じ方向）に移動可能（フローティング可能）となっている。なお、ガイド孔５３１ａの短径をガイドピン１０２ｐの直径よりも大きな径に設定することで、コネクタ５１０は筐体奥行き方向についても移動可能となる。コネクタ５１０の第２筐体１０２に対する筐体幅方向における移動可能量は、バッテリユニット４６０のバッテリ収容空間ＳＰ１内での筐体幅方向におけるガタ量よりも大きくなるように設定されている。この移動可能量は、第１のネジ挿通孔５５０ａの直径と第１のネジ５５１の大径部５５１ａとの直径の差として設定できる。
【００４６】
コネクタ５１０の基体５１２の取付部５１２ｂとガイドピン１０２ｐとの間には、ゴム製の弾性体５４０が配置されている。弾性体５４０は、取付部５１２ｂとガイドピン１０２ｐとにより挟まれて、圧縮されている。弾性体５４０は、圧縮されていない初期状態では例えば直方体形状を有するが、図１２では当接している部材の形状に応じて変形している。弾性体５４０を設けたことにより、上述のようにコネクタ５１０を移動可能とした場合でも、コネクタ５１０は左右の弾性体５４０の付勢力により一定の位置に保持されやすくなる。また、コネクタ５１０が第２筐体１０２に対して無用にがたつくことが防止される。
【００４７】
次に、上述した、コネクタ取付構造による作用について説明する。図１３は、バッテリユニット４６０を第２筐体１０２に装着した状態で示した、図１１相当の斜視図である。
【００４８】
バッテリ収容空間ＳＰ１の筐体幅方向の寸法は、バッテリユニット４６０を容易に装着可能なように、装着されたバッテリユニット４６０の幅方向寸法よりも若干量大きく設定されている。そのため、バッテリユニット４６０が第２筐体１０２に装着された状態のコンピュータ１００が、例えば利用者の不注意などにより落下して床などに衝突した場合、この衝突の衝撃により、図１３に示すように、バッテリユニット４６０がバッテリ収容空間ＳＰ１内でコネクタ５１０の筐体幅方向Ｘに移動する。本実施の形態では、コネクタ５１０は前述のように第２筐体１０２に対して移動可能に取り付けられている。そのため、バッテリユニット４６０と第２筐体１０２との間で相対移動が生じたとき、コネクタ５１０は、筐体幅方向Ｘに追随して相対移動する。そのため、上記のような衝突が生じても、コネクタ５１０の接続端子５１１の基部５１１ｔと本体部５３０ｍの配線５３０ａとのハンダによる接続部に衝撃が加わるのが抑制される。したがって、接続部のハンダなどに破壊が生じることが抑制される。また、バッテリユニット４６０側のコネクタ４６１も、第２筐体１０２側のコネクタ５１０が移動することで、バッテリユニット４６０の基板とコネクタ４６１とのハンダによる接続部に衝撃が加わるのが抑制される。そのため、バッテリユニット４６０における接続部のハンダなどに破壊が生じることも抑制される。
【００４９】
また、フレキシブルプリント基板５３０の本体部５３０ｍの延び方向の途中に折り曲げ部５３０ｒが設けられているため、コネクタ５１０が上述のように筐体幅方向に移動した場合に、折り曲げ部５３０ｒが展開しあるいは圧縮することで、本体部５３０ｍに加わるストレスが緩和される。
【００５０】
また、本実施の形態では、フレキシブルプリント基板５３０の本体部５３０ｍのグラウンドを延伸部５３３を介して取付部５３２のグラウンド端子５３２ｂにまで延伸し、取付部５３２のグラウンド端子５３２ｂを第２のボス１０２ｈの頂面に接触させた状態で、取付部５３２を第２のボス１０２ｈの頂面と第２のネジ５５２の頭部とで挟み込んで固定している。そのため、フレキシブルプリント基板５３０の本体部５３０ｍのグラウンドを第２筐体１０２に落とすことができる。これにより、フレキシブルプリント基板５３０の配線５３０ａなどに起因するＥＭＩノイズの発生を抑制できる。また、フレキシブルプリント基板５３０にグラウンド接続用の延伸部５３３や取付部５３２が一体的に設けられているため、従来利用されていた導電布などのグラウンド接続用の部材を別途利用する必要がなくなり、部材数を削減できる。
【００５１】
このように、本実施の形態におけるコネクタ取付構造によると、電子機器に設けられるコネクタ５１０を第２筐体１０２に対して移動可能としつつ、コネクタ５１０を適切にグラウンド接続することができる。
【００５２】
［１−２．効果等］
（１）本実施の形態のコンピュータ１００（電子機器の一例）は、
配線パターンが形成された本体部５３０ｍを有するフレキシブルプリント基板５３０と、
配線パターンを構成する配線５３０ａに接続される接続端子５１１と、接続端子５１１が固定され、絶縁性を有する基体５１２と、を有するコネクタ５１０と、
コネクタ５１０及びフレキシブルプリント基板５３０を収容する第２筐体１０２（筐体）と、を備える。
基体５１２は、第２筐体１０２に移動可能なように取り付けられる。
フレキシブルプリント基板５３０は、本体部５３０ｍから突出し、配線パターンに含まれるグラウンドとともに延伸する延伸部５３３を有する。
延伸部５３３は、延伸途中において伸縮可能に屈曲し、その先端側に、第２筐体１０２に固定される取付部５３２を有する。
取付部５３２には、延伸されたグラウンドに電気的に接続されたグラウンド端子５３２ｂが設けられている。
取付部５３２が第２筐体１０２に固定された状態において、グラウンド端子５３２ｂが第２筐体１０２に電気的に接続される。
【００５３】
これにより、コネクタ５１０を第２筐体１０２に対して移動可能としつつ、コネクタ５１０及びフレキシブルプリント基板５３０のグラウンドを第２筐体１０２に適切に接続することができる。そのため、コネクタ５１０に作用する衝撃を吸収しつつ、ＥＭＩノイズなどのノイズの発生を抑制できる。
【００５４】
（２）本実施の形態のコンピュータ１００において、
延伸部５３３は、延伸途中においてＬ字状に屈曲する。
【００５５】
これにより、簡単な形状で、延伸部５３３を伸縮させることができる。
【００５６】
（３）本実施の形態のコンピュータ１００において、
フレキシブルプリント基板５３０の本体部５３０ｍは、帯状に延びる形状を有し、延び方向の途中に折り曲げ部５３０ｒを有する。
【００５７】
これにより、コネクタ５１０が移動した場合に、折り曲げ部５３０ｒが展開しあるいは圧縮することで、本体部５３０ｍに加わるストレスが緩和される。
【００５８】
（４）本実施の形態のコンピュータ１００において、
基体５１２は、第１のネジ５５１が挿通される第１のネジ挿通孔５５０ａを有する。
第２筐体１０２は、第１のネジ５５１が第１のネジ挿通孔５５０ａを通して螺合される第１のネジ孔１０２ｆを有する。
第１のネジ挿通孔５５０ａの直径は、第１のネジ５５１のネジ部５５１ｂの直径よりも大きい。
【００５９】
これにより、簡単な構造で、コネクタ５１０が第２筐体１０２に対して第１のネジ５５１の軸方向に対して垂直な方向に移動可能となる。
【００６０】
（５）本実施の形態のコンピュータ１００において、
取付部５３２は、第２のネジ５５２が挿通される第２のネジ挿通孔５３２ａを有する。
第２筐体１０２は、第２のネジ５５２が第２のネジ挿通孔５３２ａを通して螺合される第２のネジ孔１０２ｊをさらに有する。
取付部５３２は、第２のネジ５５２が第２のネジ挿通孔５３２ａを通して第２のネジ孔１０２ｊに螺合された状態のときに、第２筐体１０２に固定される。
【００６１】
これにより、簡単な構造で取付部５３２を第２筐体１０２に固定することができるとともに、取付部５３２のグラウンド端子５３２ｂを堅固に第２筐体１０２に電気的に接続することができる。
【００６２】
（６）本実施の形態のコンピュータ１００において、
接続端子５１１の基部５１１ｔとフレキシブルプリント基板５３０の本体部５３０ｍの配線５３０ａとはハンダを用いて接続される。
【００６３】
本実施の形態では、コネクタ５１０が移動可能であるため、コネクタ５１０の接続端子５１１の基部５１１ｔとフレキシブルプリント基板５３０の本体部５３０ｍの配線５３０ａとを接続するハンダに衝撃が加わるのが抑制される。そのため、ハンダによる接続部に破壊などが生じることが抑制される。
【００６４】
（７）本実施の形態のコンピュータ１００において、
コンピュータ１００（当該電子機器）は、バッテリユニット４６０を着脱可能に収容するバッテリ収容空間ＳＰ１（収容空間）を有するコンピュータである。
コネクタ５１０は、バッテリユニット４６０の有するコネクタ４６１に接続される。
【００６５】
バッテリユニットは、コンピュータの構成部品の中でも比較的大きい重量を有する部材であるため、従来、落下などが生じた場合、筐体側のコネクタとバッテリユニットのコネクタとに相互に衝撃が加わり、上述したハンダなどの破損が生じる可能性があった。しかし、本実施の形態では、上述の構成を採用したことにより、コネクタ５１０及びコネクタ４６１に作用する衝撃を吸収しつつ、ＥＭＩノイズなどのノイズの発生を抑制できる。
【００６６】
（実施の形態２）
実施の形態２について説明する。
【００６７】
図１４Ａは、実施の形態２におけるフレキシブルプリント基板ユニットのコネクタの接続端面の端面図である。図１４Ｂは、実施の形態２におけるフレキシブルプリント基板ユニットのコネクタ部分の固定面側を拡大して示した図である。
【００６８】
実施の形態１のフレキシブルプリント基板５３０では、突出部５３１と延伸部５３３は、本体部５３０ｍから個別に突出させて設けられている。しかし、フレキシブルプリント基板に対する延伸部の設け方はこれに限らない。例えば、図１４Ａ、図１４Ｂに示すように、実施の形態２におけるフレキシブルプリント基板ユニットでは、フレキシブルプリント基板１５３０から突出してコネクタ幅方向に延伸する延伸部１５３３上に突出部５３１を一体的に設けるとともに、延伸部１５３３の先端側に取付部５３２を設けている。延伸部１５３３は、コネクタ５１０の接続端面に垂直な方向で見て略Ｚ字状に屈曲している。第１のネジ挿通孔５５０ａ、第２のネジ挿通孔３５２ａ、及びガイド孔５３１ａは、実施の形態１と同じ位置関係で配置されている。そして、フレキシブルプリント基板ユニットは、第２筐体１０２に対して、実施の形態１と同じ第１のネジ５５１及び第２のネジ５５２を利用して取り付けられる。その他の構造についても実施の形態１と同じである。
【００６９】
本実施の形態では、フレキシブルプリント基板１５３０の構造を簡素化しつつ、実施の形態１同様の効果を得ることができる。なお、実施の形態１の方が延伸部５３３の長さをより長くしやすいため、コネクタ５１０の第２筐体１０２に対する相対移動をより吸収しやすい。
【００７０】
（他の実施形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００７１】
（１）前記実施の形態では、本開示における電子機器をノートブック型のコンピュータに適用した場合について説明した。しかし、本開示は、ノートブック型のコンピュータ以外にも、スマートフォン、タブレット型コンピュータ、携帯型ゲーム機器、デジタルカメラなど種々の電子機器に適用可能である。
【００７２】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、特許請求の範囲またはその均等の範囲において種々の変更、置き換え、付加、省略などを行うことができる。
【産業上の利用可能性】
【００７３】
本開示は、コネクタを有する電子機器において広く利用可能である。
【符号の説明】
【００７４】
１００  コンピュータ
１０１  第１筐体
１０２  第２筐体
１０２ｃ  縦壁部
１０２ｄ  コネクタ配置用切欠
１０２ｆ  第１のネジ孔
１０２ｉ  第１のボス
１０２ｊ  第２のネジ孔
１０２ｈ  第２のボス
１０２ｐ  ガイドピン
１０２ｘ  係止突起
１０２Ａ  上側筐体
１０２Ｂ  下側筐体
１０３  ヒンジ
２３１  キーボード
２３２  タッチパッド
２３３  操作ボタン
２４０  表示部
４１０  回路基板
４１１  ＣＰＵ
４６０  バッテリユニット
４６１  コネクタ
４６２  操作ノブ
５００  フレキシブルプリント基板ユニット
５１０  コネクタ
５１１  接続端子
５１１ｔ  基部
５１２  基体
５１２ｂ  取付部
５１５  位置決め突起
５２０  端子部
５３０  フレキシブルプリント基板
５３０ａ  配線パターン
５３０ｍ  本体部
５３０ｒ  折り曲げ部
５３１  突出部
５３１ａ  ガイド孔
５３２  取付部
５３２ａ  第２のネジ挿通孔
５３２ｂ  グラウンド端子
５３３  延伸部
５３５  係止部
５３５ａ  係止孔
５４０  弾性体
５５０  コネクタ部
５５０ａ  第１のネジ挿通孔
５５１  第１のネジ
５５１ａ  大径部
５５１ｂ  ネジ部
５５１ｃ  頭部
５５２  第２のネジ
１５００  フレキシブルプリント基板ユニット
１５３３  延伸部
Ｐ  隙間
ＳＰ１  バッテリ収容空間
ＳＰ２  主空間
【図１】
2019146589.tif 000003
【図２】
2019146589.tif 000004
【図３】
2019146589.tif 000005
【図４】
2019146589.tif 000006
【図５】
2019146589.tif 000007
【図６Ａ】
2019146589.tif 000008
【図６Ｂ】
2019146589.tif 000009
【図７】
2019146589.tif 000010
【図８Ａ】
2019146589.tif 000011
【図８Ｂ】
2019146589.tif 000012
【図９】
2019146589.tif 000013
【図１０】
2019146589.tif 000014
【図１１】
2019146589.tif 000015
【図１２】
2019146589.tif 000016
【図１３】
2019146589.tif 000017
【図１４Ａ】
2019146589.tif 000018
【図１４Ｂ】
2019146589.tif 000019
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
配線パターンが形成された本体部を有するフレキシブルプリント基板と、
前記配線パターンを構成する配線に接続される接続端子と、前記接続端子が固定され、絶縁性を有する基体と、を有するコネクタと、
前記コネクタ及び前記フレキシブルプリント基板を収容する筐体と、を備え、
前記基体は、前記筐体に移動可能なように取り付けられ、
前記フレキシブルプリント基板は、前記本体部から突出し、前記配線パターンに含まれるグラウンドとともに延伸する延伸部を有し、
前記延伸部は、延伸途中において伸縮可能に屈曲し、その先端側に、前記筐体に固定される取付部を有し、
前記取付部には、延伸された前記グラウンドに接続されたグラウンド端子が設けられ、
前記取付部が前記筐体に固定された状態において、前記グラウンド端子が前記筐体に電気的に接続される、
電子機器。
【請求項２】
前記延伸部は、延伸途中においてＬ字状に屈曲する、
請求項１に記載の電子機器。
【請求項３】
前記本体部は、帯状に延びる形状を有し、延び方向の途中に折り曲げ部を有する、
請求項１または２に記載の電子機器。
【請求項４】
前記基体は、第１のネジが挿通される第１のネジ挿通孔を有し、
前記筐体は、前記第１のネジが前記第１のネジ挿通孔を通して螺合される第１のネジ孔を有し、
前記第１のネジ挿通孔の直径は、前記第１のネジのネジ部の直径よりも大きい、
請求項１から３のいずれか１項に記載の電子機器。
【請求項５】
前記取付部は、第２のネジが挿通される第２のネジ挿通孔を有し、
前記筐体は、前記第２のネジが前記第２のネジ挿通孔を通して螺合される第２のネジ孔をさらに有し、
前記取付部は、前記第２のネジが前記第２のネジ挿通孔を通して前記第２のネジ孔に螺合されることで、前記筐体に固定される、
請求項１から４のいずれか１項に記載の電子機器。
【請求項６】
前記接続端子の基部と前記フレキシブルプリント基板の前記本体部の配線とはハンダを用いて接続される、
請求項１から５のいずれか１項に記載の電子機器。
【請求項７】
当該電子機器は、バッテリユニットを着脱可能に収容する収容空間を有するコンピュータであり、
前記コネクタは、前記バッテリユニットの有するコネクタに接続される、
請求項１から６のいずれか１項に記載の電子機器。
【手続補正２】
【補正対象書類名】明細書
【補正対象項目名】全文
【補正方法】変更
【補正の内容】
【発明の詳細な説明】
【技術分野】
【０００１】
本開示は、コネクタを有する電子機器に関する。
【背景技術】
【０００２】
特許文献１は、電子情報機器において、接続用コネクタを有する基板を移動可能に構成したことを開示している。
【先行技術文献】
【特許文献】
【０００３】
【特許文献１】特開平５−８２９８５号公報
【発明の概要】
【発明が解決しようとする課題】
【０００４】
本開示は、電子機器に設けられるコネクタを筐体に対して移動可能としつつ、コネクタを適切にグラウンド接続することを可能とした電子機器を提供する。
【課題を解決するための手段】
【０００５】
本開示の電子機器は、
配線パターンが形成された本体部を有するフレキシブルプリント基板と、
配線パターンを構成する配線に接続される接続端子と、接続端子が固定され、絶縁性を有する基体と、を有するコネクタと、
コネクタ及びフレキシブルプリント基板を収容する筐体と、を備える。
基体は、筐体に移動可能なように取り付けられる。
フレキシブルプリント基板は、本体部から突出し、配線パターンに含まれるグラウンドとともに延伸する延伸部を有する。
延伸部は、延伸途中において伸縮可能に屈曲し、その先端側に、筐体に固定される取付部を有する。
取付部には、延伸されたグラウンドに接続されたグラウンド端子が設けられる。
取付部が筐体に固定された状態において、グラウンド端子が筐体に電気的に接続される。
【発明の効果】
【０００６】
本開示によると、電子機器に設けられるコネクタを筐体に対して移動可能としつつ、コネクタを適切にグラウンド接続することができる。
【図面の簡単な説明】
【０００７】
【図１】実施の形態１におけるコンピュータの斜視図である。
【図２】コンピュータの第２筐体の下面図である。
【図３】バッテリユニットを取り外した状態で示したコンピュータの第２筐体の下面図である。
【図４】バッテリユニットを取り外した状態で示したコンピュータの後面図（（ａ）図）、及びバッテリユニットの前面図（（ｂ）図）である。
【図５】バッテリユニットの斜視図である。
【図６Ａ】フレキシブルプリント基板ユニットの斜視図である。
【図６Ｂ】フレキシブルプリント基板ユニットの斜視図である。
【図７】フレキシブルプリント基板ユニットの固定面側を示した図である。
【図８Ａ】フレキシブルプリント基板ユニットのコネクタの接続端面の端面図である。
【図８Ｂ】フレキシブルプリント基板ユニットのコネクタ部分の固定面側を拡大して示した図である。
【図９】第２筐体を、下側筐体を取り外した状態で図３の矢印Ｚ３方向から見た斜視図である。
【図１０】図９の矢印Ｚ９１で示す部分を分解した状態で拡大して示した斜視図である。
【図１１】図９の矢印Ｚ９２で示す部分を拡大して示した斜視図である。
【図１２】第２筐体におけるコネクタ配置部分を、縦壁部を破断してコネクタの接続端面側から見た状態で示した図である。
【図１３】バッテリユニットを第２筐体に装着した状態で示した、図１１相当の斜視図である。
【図１４Ａ】実施の形態２におけるフレキシブルプリント基板ユニットのコネクタの接続端面の端面図である。
【図１４Ｂ】実施の形態２におけるフレキシブルプリント基板ユニットのコネクタ部分の固定面側を拡大して示した図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者は、当業者が本開示を十分に理解するために添付図面および以下の説明を提供するのであって、これらによって特許請求の範囲に記載の主題を限定することを意図するものではない。
【００１０】
（実施の形態１）
以下、図面を参照して実施の形態１を説明する。
【００１１】
［１−１．構成等］
図１は、実施の形態１におけるコンピュータの斜視図である。
【００１２】
コンピュータ１００は、本開示における電子機器の一例であり、第１筐体１０１と、第２筐体１０２とを備える。コンピュータ１００は、第１筐体１０１と第２筐体１０２とがヒンジ１０３を介して相対回転可能に構成されたノートブック型のコンピュータである。
【００１３】
第１筐体１０１には、表示部２４０が備えられている。
【００１４】
第２筐体１０２には、キーボード２３１、タッチパッド２３２、操作ボタン２３３、ＣＰＵ４１１等が設けられている。
【００１５】
表示部２４０は、入力された画像信号に基づいて画像や映像を表示する。表示部２４０は、例えば液晶ディスプレイにより構成される。
【００１６】
キーボード２３１は、複数のキーを備え、ユーザにより押下されたキーに対応する信号を出力する。
【００１７】
タッチパッド２３２は、ユーザによりタッチされた位置に応じた信号を出力するポインティングデバイスである。
【００１８】
操作ボタン２３３は、押下式のボタンスイッチであり、ユーザにより押下されたときに押下されたことを示す信号を出力する。操作ボタン２３３は、例えば決定ボタンとして利用される。
【００１９】
ＣＰＵ４１１は、コンピュータ１００全体の動作を制御する。ＣＰＵ４１１は、記憶部に格納されているＯＳや種々のアプリケーションプログラム、記憶部に記憶されているデータ、種々の入力デバイスから入力された情報に基づいて演算処理を行い、後述する種々の機能を実現する。制御部２１０は、例えばＣＰＵ、ＭＰＵ、ＦＰＧＡ等で構成される。
【００２０】
図２は、コンピュータ１００の第２筐体１０２の下面図である。図３は、バッテリユニットを取り外した状態で示したコンピュータ１００の第２筐体１０２の下面図である。
【００２１】
第２筐体１０２の下面の一端側には、図２、図３に示すように、第２筐体１０２に対して着脱可能なバッテリユニット４６０が装着されている。バッテリユニット４６０は、操作ノブ４６２を操作することで第２筐体１０２から取り外すことができる。
【００２２】
図４は、バッテリユニット４６０を取り外した状態で示したコンピュータ１００の後面図（（ａ）図）、及びバッテリユニットの前面図（（ｂ）図）である。図５は、バッテリユニット４６０の斜視図である。
【００２３】
図３、図４、図５に示すように、バッテリユニット４６０の一側部には、コネクタ４６１が設けられている。コネクタ４６１は、バッテリユニット４６０に内蔵された回路基板にハンダにより電気的に接続及び固定されている。
【００２４】
図１に示すように、第２筐体１０２は、その上面側を構成する上側筐体１０２Ａと、その下面側を構成する下側筐体１０２Ｂとを有する。上側筐体１０２Ａ及び下側筐体１０２Ｂのうち少なくとも上側筐体１０２Ａは、導電性を有する金属やマグネシウム合金などの合金などを用いて形成されている。
【００２５】
図９は、第２筐体１０２を、下側筐体１０２Ｂを取り外した状態で図３の矢印Ｚ３方向から見た斜視図である。
【００２６】
図３、図４、図９に示すように、第２筐体１０２には、内部の空間をバッテリ収容空間ＳＰ１と主空間ＳＰ２とに仕切る縦壁部１０２ｃが設けられている。縦壁部１０２ｃには、バッテリユニット４６０のコネクタ４６１と接続されるコネクタ５１０が設けられている。コネクタ５１０は、縦壁部１０２ｃに形成されたコネクタ配置用切欠１０２ｄを介してバッテリ収容空間ＳＰ１に露出している。
【００２７】
図３に示すように、第２筐体１０２の内部には、ＣＰＵ４１１などの電子部品が実装される回路基板４１０が配置されている。また、第２筐体１０２の内部には、図３、図９に示すように、回路基板４１０とコネクタ５１０とを接続するフレキシブルプリント基板５３０（ＦＰＣ）が配置されている。
【００２８】
次に、フレキシブルプリント基板ユニットの構造について説明する。図６Ａは、フレキシブルプリント基板ユニットの斜視図である。図６Ｂは、フレキシブルプリント基板ユニットの斜視図である。図７は、フレキシブルプリント基板ユニットの固定面側を示した図である。
【００２９】
図６Ａ〜図７に示すように、コネクタ５１０とフレキシブルプリント基板５３０とは、１つのフレキシブルプリント基板ユニット５００として構成されている。フレキシブルプリント基板５３０は、帯状かつＬ字状に延びる形状を有する。フレキシブルプリント基板５３０は、ポリイミドなどの樹脂からなるベースフィルム層と、ベースフィルムの一方の面に金属箔によりベタ塗り状に形成されたグラウンド層と、ベースフィルムの他方の面に金属により形成された配線パターン層とを有する。グラウンド層及び配線パターン層上には、それぞれ非導電性シート等からなる絶縁カバー層が形成されている。なお、本開示におけるフレキシブルプリント基板はこの構成に限定されるものではない。フレキシブルプリント基板５３０の各層を構成する各素材は、曲げ可能な可撓性を有している。そのため、フレキシブルプリント基板５３０は、柔軟に曲げ可能な可撓性を有している。
【００３０】
フレキシブルプリント基板５３０において、フレキシブルプリント基板５３０の延び方向でコネクタ５１０が接続された端部と反対側の端部には、回路基板４１０に設けられたコネクタ（図示せず）に電気的に接続される端子部５２０が設けられている。
【００３１】
フレキシブルプリント基板５３０の延び方向の中間部には、上側筐体１０２Ａの係止突起１０２ｘに嵌められる係止孔５３５ａを有する係止部５３５が設けられている。
【００３２】
フレキシブルプリント基板５３０の本体部５３０ｍは、帯状に延びる形状を有し、延び方向の途中に折り曲げ部５３０ｒを有する。
【００３３】
図８Ａは、フレキシブルプリント基板ユニット５００のコネクタ５１０の接続端面の端面図である。図８Ｂは、フレキシブルプリント基板ユニット５００のコネクタ５１０部分の固定面側を拡大して示した図である。
【００３４】
フレキシブルプリント基板ユニット５００のコネクタ５１０の基体５１２の接続端面には複数の接続端子５１１が配列されている。また、コネクタ５１０の基体５１２の接続端面には、バッテリユニット４６０のコネクタ４６１への差し込みの際の位置決めを行うための位置決め突起５１５が設けられている。
【００３５】
コネクタ５１０の基体５１２は、フレキシブルプリント基板５３０に接着剤などを利用して固着されている。また、コネクタ５１０の各接続端子５１１の基部５１１ｔは、フレキシブルプリント基板５３０の本体部５３０ｍに形成された配線パターンを構成する配線５３０ａにハンダを用いて接続されている。配線５３０ａには、電力供給ラインだけでなく、バッテリユニット４６０の充電制御を行うための制御信号ライン、グラウンドライン等が含まれている。グラウンドラインは、グラウンド層にスルーホールビアなどを介して接続される。
【００３６】
コネクタ５１０の基体５１２のコネクタ幅方向両端の取付部５１２ｂ、及び基体５１２に重なっているフレキシブルプリント基板５３０の端部には、これらを貫通させて、第１のネジ５５１が挿通される第１のネジ挿通孔５５０ａが設けられている。
【００３７】
フレキシブルプリント基板５３０の接続端側には、コネクタ幅方向に突出させて突出部５３１が設けられている。突出部５３１には、ガイド孔５３１ａが設けられている。
【００３８】
また、フレキシブルプリント基板５３０は、本体部５３０ｍからコネクタ幅方向に突出して延伸する延伸部５３３が設けられている。延伸部５３３の先端には、第２筐体１０２に固定される取付部５３２が設けられている。取付部５３２には、第２のネジ５５２が挿通される第２のネジ挿通孔５３２ａが設けられている。延伸部５３３は、本体部５３０ｍに連続して形成され、本体部５３０ｍと同じ複数の層を有している。そのため、グラウンド層は取付部５３２まで延伸している。
【００３９】
延伸部５３３は、本体部５３０ｍの側部からフレキシブルプリント基板５３０の厚さ方向に延伸し、延伸途中でＬ字状に屈曲し、本体部５３０ｍに平行に延びる。また、延伸部５３３は、本体部５３０ｍに平行に延びる部分において、第２のネジ挿通孔５３２ａの軸方向に見てＬ字状に屈曲する。延伸部５３３は、本体部５３０ｍ同様に可撓性を有しているので、Ｌ字状の屈曲が展開、圧縮することで伸縮可能である。特に、延伸部５３３は、２つのＬ字状の屈曲を有することで、より大きな伸縮量で伸縮できる。
【００４０】
取付部５３２の固定面（取付部５３２が下側筐体の後述する第２のボス１０２ｈに固定された状態において、第２のボス１０２ｈの頂面に接触する面）には、グラウンド端子５３２ｂが設けられている（図７参照）。グラウンド端子５３２ｂは、例えば金メッキなどにより形成されている。グラウンド端子５３２ｂは、取付部５３２まで延伸されたグラウンド層にスルーホールビアなどを介して電気的に接続されている。
【００４１】
次に、フレキシブルプリント基板ユニット５００のコネクタ５１０の第２筐体１０２への取付構造について説明する。図１０は、図９の矢印Ｚ９１で示す部分を分解した状態で拡大して示した斜視図である。図１１は、図９の矢印Ｚ９２で示す部分を拡大して示した斜視図である。図１２は、第２筐体１０２に装着された状態のフレキシブルプリント基板ユニット５００を、縦壁部を破断して、コネクタ５１０の接続端面側から見た状態で示した図である。
【００４２】
図１０、図１１、図１２に示すように、上側筐体１０２Ａには、縦壁部１０２ｃの主空間ＳＰ２側のコネクタ配置用切欠１０２ｄの近傍において、一対の第１のボス１０２ｉが突出形成されている。各第１のボス１０２ｉは、第１のネジ５５１がコネクタ５１０の第１のネジ挿通孔５５０ａを通して螺合される第１のネジ孔１０２ｆを有する。また、これらの第１のボス１０２ｉのコネクタ幅方向外側には、第２のボス１０２ｈがそれぞれ突出形成されている。第２のボス１０２ｈは、第２のネジ５５２がフレキシブルプリント基板５３０の取付部５３２の第２のネジ挿通孔５３２ａを通して螺合される第２のネジ孔１０２ｊを有する。第１のボス１０２ｉの高さは、第２のボス１０２ｈの高さよりも高く設定されている。
【００４３】
また、上側筐体１０２Ａには、第１のボス１０２ｉと第２のボス１０２ｈとの間において、ガイドピン１０２ｐが突出形成されている。ガイドピン１０２ｐは、フレキシブルプリント基板５３０の突出部５３１のガイド孔５３１ａに挿通される。ガイド孔５３１ａは、コネクタ幅方向においてガイドピン１０２ｐの直径よりも十分大きい長さを有し、コネクタ奥行き方向においてガイドピン１０２ｐの直径とほぼ同じ長さを有するように形成された長孔である。
【００４４】
第２のボス１０２ｈの頂面には、フレキシブルプリント基板５３０の取付部５３２が第２のボス１０２ｈの頂面と第２のネジ５５２の頭部の座面とで挟み込まれた状態で固定される。固定状態において、取付部５３２のグラウンド端子５３２ｂが、第２のボス１０２ｈの頂面に圧接されて密着する。
【００４５】
第１のネジ５５１は、軸方向において頭部５５１ｃとネジ部５５１ｂとの間に、ネジ部５５１ｂの直径よりも大きい大径部５５１ａを有する段付きネジである。第１のネジ挿通孔５５０ａは、第１のネジ５５１のネジ部５５１ｂの直径及び大径部５５１ａの直径よりも大きい直径を有している。第１のネジ５５１は、第１のネジ挿通孔５５０ａを通して第１のネジ孔１０２ｆに螺合された状態で、大径部５５１ａのネジ部５５１ｂ側の端面が第１のボス１０２ｉの頂面に当接する。大径部５５１ａの軸方向長さは、コネクタ５１０の基体５１２の取付部５１２ｂとフレキシブルプリント基板５３０の本体部５３０ｍとを重ねた厚さよりも大きく設定されている。そのため、第１のネジ５５１の軸方向に微小な隙間Ｐが存在しており、第１のネジ５５１は、コネクタ５１０を第１のボス１０２ｉの頂面に押し付けているわけではない。また、上側筐体１０２Ａに固定されるフレキシブルプリント基板５３０の取付部５３２は、屈曲を有する延伸部５３３を介して本体部５３０ｍに接続されている。さらに、フレキシブルプリント基板５３０の本体部５３０ｍは可撓性を有する。これらの構造により、コネクタ５１０は、第１のネジ５５１が第１のネジ挿通孔５５０ａを通して第１のネジ孔１０２ｆに螺合された状態で、上側筐体１０２Ａ（第２筐体１０２）に対して筐体幅方向や筐体厚み方向（本実施の形態ではコネクタ厚み方向と同じ方向）に移動可能（フローティング可能）となっている。なお、ガイド孔５３１ａの短径をガイドピン１０２ｐの直径よりも大きな径に設定することで、コネクタ５１０は筐体奥行き方向についても移動可能となる。コネクタ５１０の第２筐体１０２に対する筐体幅方向における移動可能量は、バッテリユニット４６０のバッテリ収容空間ＳＰ１内での筐体幅方向におけるガタ量よりも大きくなるように設定されている。この移動可能量は、第１のネジ挿通孔５５０ａの直径と第１のネジ５５１の大径部５５１ａとの直径の差として設定できる。
【００４６】
コネクタ５１０の基体５１２の取付部５１２ｂとガイドピン１０２ｐとの間には、ゴム製の弾性体５４０が配置されている。弾性体５４０は、取付部５１２ｂとガイドピン１０２ｐとにより挟まれて、圧縮されている。弾性体５４０は、圧縮されていない初期状態では例えば直方体形状を有するが、図１２では当接している部材の形状に応じて変形している。弾性体５４０を設けたことにより、上述のようにコネクタ５１０を移動可能とした場合でも、コネクタ５１０は左右の弾性体５４０の付勢力により一定の位置に保持されやすくなる。また、コネクタ５１０が第２筐体１０２に対して無用にがたつくことが防止される。
【００４７】
次に、上述した、コネクタ取付構造による作用について説明する。図１３は、バッテリユニット４６０を第２筐体１０２に装着した状態で示した、図１１相当の斜視図である。
【００４８】
バッテリ収容空間ＳＰ１の筐体幅方向の寸法は、バッテリユニット４６０を容易に装着可能なように、装着されたバッテリユニット４６０の幅方向寸法よりも若干量大きく設定されている。そのため、バッテリユニット４６０が第２筐体１０２に装着された状態のコンピュータ１００が、例えば利用者の不注意などにより落下して床などに衝突した場合、この衝突の衝撃により、図１３に示すように、バッテリユニット４６０がバッテリ収容空間ＳＰ１内でコネクタ５１０の筐体幅方向Ｘに移動する。本実施の形態では、コネクタ５１０は前述のように第２筐体１０２に対して移動可能に取り付けられている。そのため、バッテリユニット４６０と第２筐体１０２との間で相対移動が生じたとき、コネクタ５１０は、筐体幅方向Ｘに追随して相対移動する。そのため、上記のような衝突が生じても、コネクタ５１０の接続端子５１１の基部５１１ｔと本体部５３０ｍの配線５３０ａとのハンダによる接続部に衝撃が加わるのが抑制される。したがって、接続部のハンダなどに破壊が生じることが抑制される。また、バッテリユニット４６０側のコネクタ４６１も、第２筐体１０２側のコネクタ５１０が移動することで、バッテリユニット４６０の基板とコネクタ４６１とのハンダによる接続部に衝撃が加わるのが抑制される。そのため、バッテリユニット４６０における接続部のハンダなどに破壊が生じることも抑制される。
【００４９】
また、フレキシブルプリント基板５３０の本体部５３０ｍの延び方向の途中に折り曲げ部５３０ｒが設けられているため、コネクタ５１０が上述のように筐体幅方向に移動した場合に、折り曲げ部５３０ｒが展開しあるいは圧縮することで、本体部５３０ｍに加わるストレスが緩和される。
【００５０】
また、本実施の形態では、フレキシブルプリント基板５３０の本体部５３０ｍのグラウンドを延伸部５３３を介して取付部５３２のグラウンド端子５３２ｂにまで延伸し、取付部５３２のグラウンド端子５３２ｂを第２のボス１０２ｈの頂面に接触させた状態で、取付部５３２を第２のボス１０２ｈの頂面と第２のネジ５５２の頭部とで挟み込んで固定している。そのため、フレキシブルプリント基板５３０の本体部５３０ｍのグラウンドを第２筐体１０２に落とすことができる。これにより、フレキシブルプリント基板５３０の配線５３０ａなどに起因するＥＭＩノイズの発生を抑制できる。また、フレキシブルプリント基板５３０にグラウンド接続用の延伸部５３３や取付部５３２が一体的に設けられているため、従来利用されていた導電布などのグラウンド接続用の部材を別途利用する必要がなくなり、部材数を削減できる。
【００５１】
このように、本実施の形態におけるコネクタ取付構造によると、電子機器に設けられるコネクタ５１０を第２筐体１０２に対して移動可能としつつ、コネクタ５１０を適切にグラウンド接続することができる。
【００５２】
［１−２．効果等］
（１）本実施の形態のコンピュータ１００（電子機器の一例）は、
配線パターンが形成された本体部５３０ｍを有するフレキシブルプリント基板５３０と、
配線パターンを構成する配線５３０ａに接続される接続端子５１１と、接続端子５１１が固定され、絶縁性を有する基体５１２と、を有するコネクタ５１０と、
コネクタ５１０及びフレキシブルプリント基板５３０を収容する第２筐体１０２（筐体）と、を備える。
基体５１２は、第２筐体１０２に移動可能なように取り付けられる。
フレキシブルプリント基板５３０は、本体部５３０ｍから突出し、配線パターンに含まれるグラウンドとともに延伸する延伸部５３３を有する。
延伸部５３３は、延伸途中において伸縮可能に屈曲し、その先端側に、第２筐体１０２に固定される取付部５３２を有する。
取付部５３２には、延伸されたグラウンドに電気的に接続されたグラウンド端子５３２ｂが設けられている。
取付部５３２が第２筐体１０２に固定された状態において、グラウンド端子５３２ｂが第２筐体１０２に電気的に接続される。
【００５３】
これにより、コネクタ５１０を第２筐体１０２に対して移動可能としつつ、コネクタ５１０及びフレキシブルプリント基板５３０のグラウンドを第２筐体１０２に適切に接続することができる。そのため、コネクタ５１０に作用する衝撃を吸収しつつ、ＥＭＩノイズなどのノイズの発生を抑制できる。
【００５４】
（２）本実施の形態のコンピュータ１００において、
延伸部５３３は、延伸途中においてＬ字状に屈曲する。
【００５５】
これにより、簡単な形状で、延伸部５３３を伸縮させることができる。
【００５６】
（３）本実施の形態のコンピュータ１００において、
フレキシブルプリント基板５３０の本体部５３０ｍは、帯状に延びる形状を有し、延び方向の途中に折り曲げ部５３０ｒを有する。
【００５７】
これにより、コネクタ５１０が移動した場合に、折り曲げ部５３０ｒが展開しあるいは圧縮することで、本体部５３０ｍに加わるストレスが緩和される。
【００５８】
（４）本実施の形態のコンピュータ１００において、
基体５１２は、第１のネジ５５１が挿通される第１のネジ挿通孔５５０ａを有する。
第２筐体１０２は、第１のネジ５５１が第１のネジ挿通孔５５０ａを通して螺合される第１のネジ孔１０２ｆを有する。
第１のネジ挿通孔５５０ａの直径は、第１のネジ５５１のネジ部５５１ｂの直径よりも大きい。
【００５９】
これにより、簡単な構造で、コネクタ５１０が第２筐体１０２に対して第１のネジ５５１の軸方向に対して垂直な方向に移動可能となる。
【００６０】
（５）本実施の形態のコンピュータ１００において、
取付部５３２は、第２のネジ５５２が挿通される第２のネジ挿通孔５３２ａを有する。
第２筐体１０２は、第２のネジ５５２が第２のネジ挿通孔５３２ａを通して螺合される第２のネジ孔１０２ｊをさらに有する。
取付部５３２は、第２のネジ５５２が第２のネジ挿通孔５３２ａを通して第２のネジ孔１０２ｊに螺合された状態のときに、第２筐体１０２に固定される。
【００６１】
これにより、簡単な構造で取付部５３２を第２筐体１０２に固定することができるとともに、取付部５３２のグラウンド端子５３２ｂを堅固に第２筐体１０２に電気的に接続することができる。
【００６２】
（６）本実施の形態のコンピュータ１００において、
接続端子５１１の基部５１１ｔとフレキシブルプリント基板５３０の本体部５３０ｍの配線５３０ａとはハンダを用いて接続される。
【００６３】
本実施の形態では、コネクタ５１０が移動可能であるため、コネクタ５１０の接続端子５１１の基部５１１ｔとフレキシブルプリント基板５３０の本体部５３０ｍの配線５３０ａとを接続するハンダに衝撃が加わるのが抑制される。そのため、ハンダによる接続部に破壊などが生じることが抑制される。
【００６４】
（７）本実施の形態のコンピュータ１００において、
コンピュータ１００（当該電子機器）は、バッテリユニット４６０を着脱可能に収容するバッテリ収容空間ＳＰ１（収容空間）を有するコンピュータである。
コネクタ５１０は、バッテリユニット４６０の有するコネクタ４６１に接続される。
【００６５】
バッテリユニットは、コンピュータの構成部品の中でも比較的大きい重量を有する部材であるため、従来、落下などが生じた場合、筐体側のコネクタとバッテリユニットのコネクタとに相互に衝撃が加わり、上述したハンダなどの破損が生じる可能性があった。しかし、本実施の形態では、上述の構成を採用したことにより、コネクタ５１０及びコネクタ４６１に作用する衝撃を吸収しつつ、ＥＭＩノイズなどのノイズの発生を抑制できる。
【００６６】
（実施の形態２）
実施の形態２について説明する。
【００６７】
図１４Ａは、実施の形態２におけるフレキシブルプリント基板ユニットのコネクタの接続端面の端面図である。図１４Ｂは、実施の形態２におけるフレキシブルプリント基板ユニットのコネクタ部分の固定面側を拡大して示した図である。
【００６８】
実施の形態１のフレキシブルプリント基板５３０では、突出部５３１と延伸部５３３は、本体部５３０ｍから個別に突出させて設けられている。しかし、フレキシブルプリント基板に対する延伸部の設け方はこれに限らない。例えば、図１４Ａ、図１４Ｂに示すように、実施の形態２におけるフレキシブルプリント基板ユニットでは、フレキシブルプリント基板１５３０から突出してコネクタ幅方向に延伸する延伸部１５３３上に突出部５３１を一体的に設けるとともに、延伸部１５３３の先端側に取付部５３２を設けている。延伸部１５３３は、コネクタ５１０の接続端面に垂直な方向で見て略Ｚ字状に屈曲している。第１のネジ挿通孔５５０ａ、第２のネジ挿通孔５３２ａ、及びガイド孔５３１ａは、実施の形態１と同じ位置関係で配置されている。そして、フレキシブルプリント基板ユニットは、第２筐体１０２に対して、実施の形態１と同じ第１のネジ５５１及び第２のネジ５５２を利用して取り付けられる。その他の構造についても実施の形態１と同じである。
【００６９】
本実施の形態では、フレキシブルプリント基板１５３０の構造を簡素化しつつ、実施の形態１同様の効果を得ることができる。なお、実施の形態１の方が延伸部５３３の長さをより長くしやすいため、コネクタ５１０の第２筐体１０２に対する相対移動をより吸収しやすい。
【００７０】
（他の実施形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００７１】
（１）前記実施の形態では、本開示における電子機器をノートブック型のコンピュータに適用した場合について説明した。しかし、本開示は、ノートブック型のコンピュータ以外にも、スマートフォン、タブレット型コンピュータ、携帯型ゲーム機器、デジタルカメラなど種々の電子機器に適用可能である。
【００７２】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、特許請求の範囲またはその均等の範囲において種々の変更、置き換え、付加、省略などを行うことができる。
【産業上の利用可能性】
【００７３】
本開示は、コネクタを有する電子機器において広く利用可能である。
【符号の説明】
【００７４】
１００  コンピュータ
１０１  第１筐体
１０２  第２筐体
１０２ｃ  縦壁部
１０２ｄ  コネクタ配置用切欠
１０２ｆ  第１のネジ孔
１０２ｉ  第１のボス
１０２ｊ  第２のネジ孔
１０２ｈ  第２のボス
１０２ｐ  ガイドピン
１０２ｘ  係止突起
１０２Ａ  上側筐体
１０２Ｂ  下側筐体
１０３  ヒンジ
２３１  キーボード
２３２  タッチパッド
２３３  操作ボタン
２４０  表示部
４１０  回路基板
４１１  ＣＰＵ
４６０  バッテリユニット
４６１  コネクタ
４６２  操作ノブ
５００  フレキシブルプリント基板ユニット
５１０  コネクタ
５１１  接続端子
５１１ｔ  基部
５１２  基体
５１２ｂ  取付部
５１５  位置決め突起
５２０  端子部
５３０  フレキシブルプリント基板
５３０ａ  配線
５３０ｍ  本体部
５３０ｒ  折り曲げ部
５３１  突出部
５３１ａ  ガイド孔
５３２  取付部
５３２ａ  第２のネジ挿通孔
５３２ｂ  グラウンド端子
５３３  延伸部
５３５  係止部
５３５ａ  係止孔
５４０  弾性体
５５０  コネクタ部
５５０ａ  第１のネジ挿通孔
５５１  第１のネジ
５５１ａ  大径部
５５１ｂ  ネジ部
５５１ｃ  頭部
５５２  第２のネジ
１５００  フレキシブルプリント基板ユニット
１５３３  延伸部
Ｐ  隙間
ＳＰ１  バッテリ収容空間
ＳＰ２  主空間
【手続補正３】
【補正対象書類名】図面
【補正対象項目名】全図
【補正方法】変更
【補正の内容】
【図１】
2019146589.tif 000020
【図２】
2019146589.tif 000021
【図３】
2019146589.tif 000022
【図４】
2019146589.tif 000023
【図５】
2019146589.tif 000024
【図６Ａ】
2019146589.tif 000025
【図６Ｂ】
2019146589.tif 000026
【図７】
2019146589.tif 000027
【図８Ａ】
2019146589.tif 000028
【図８Ｂ】
2019146589.tif 000029
【図９】
2019146589.tif 000030
【図１０】
2019146589.tif 000031
【図１１】
2019146589.tif 000032
【図１２】
2019146589.tif 000033
【図１３】
2019146589.tif 000034
【図１４Ａ】
2019146589.tif 000035
【図１４Ｂ】
2019146589.tif 000036
【国際調査報告】
2019146589.tif 000037
2019146589.tif 000038
2019146589.tif 000039